【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
浴室の天井裏に配置される装置本体と、輻射熱を放射する輻射部とを備えた浴室用暖房装置であって、
前記装置本体の下部に、前記浴室の天井の下面に固定されるフランジを設け、
前記輻射部を前記天井から下方に突出させるとともに、前記フランジに取り付けたことを特徴とする浴室用暖房装置。
【請求項２】
前記輻射部は、輻射熱を放射するヒータと、ヒータからの輻射熱を反射させる反射板とを有し、前記輻射熱の放射方向を斜め下方に向けたことを特徴とする請求項１に記載の浴室用暖房装置。
【請求項３】
前記装置本体は、前記浴室の空気を取り入れてその浴室へ循環させるファンと、浴室へ循環される空気を暖めるヒータとを有することを特徴とする請求項１または請求項２に記載の浴室用暖房装置。
装置。
【請求項４】
前記輻射部は浴槽の上方位置に取り付けられ、
前記輻射部の輻射熱の放射方向が前記浴槽の隣の洗い場に向けられることを特徴とする請求項１ないし請求項３のいずれか１つに記載の浴室用暖房装置。
【請求項５】
前記輻射部のヒータは、カーボン素材を熱源とする遠赤外線ヒータであることを特徴とする請求項１ないし請求項４のいずれか１つに記載の浴室用暖房装置。
【手続補正２】
【補正対象書類名】明細書
【補正対象項目名】発明の名称
【補正方法】変更
【補正の内容】
【発明の名称】浴室用暖房装置
【手続補正３】
【補正対象書類名】明細書
【補正対象項目名】０００１
【補正方法】変更
【補正の内容】
【０００１】
この発明は、入浴者の体を暖める浴室用暖房装置に関する。
【手続補正４】
【補正対象書類名】明細書
【補正対象項目名】０００３
【補正方法】変更
【補正の内容】
【０００３】
従来、このような浴室の予備暖房装置としては、浴室用の換気扇にヒーターを設けたものが知られている（特許文献１参照）。即ち、浴室の空気を建物の外側に送る換気扇に、浴室内の空気を循環させる循環系ユニットを設け、この循環系ユニットにヒータを設けた構造とされている。
【手続補正５】
【補正対象書類名】明細書
【補正対象項目名】０００６
【補正方法】変更
【補正の内容】
【０００６】
【特許文献１】特開平９−２５３３９５号公報
【手続補正６】
【補正対象書類名】明細書
【補正対象項目名】０００８
【補正方法】変更
【補正の内容】
【０００８】
本発明は、このような問題に着目してなされたものであり、浴室の入浴前の予備暖房を短時間で行うと共に、入浴中も洗い場にいるときに寒い思いを入浴者に与えない浴室用暖房装置を提供することを目的とする。
【手続補正７】
【補正対象書類名】明細書
【補正対象項目名】０００９
【補正方法】変更
【補正の内容】
【０００９】
請求項１の発明は、浴室の天井に取り付けられ且つ輻射熱を放射する輻射部を備えた浴室用暖房装置であって、
前記輻射部を前記天井から下方に突出させ、
前記輻射部の輻射熱の放射方向を斜め下方に向けることを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
【図１】本発明の実施の形態にかかる浴室用暖房装置の分解組み立て図。
【図２】浴室内の浴室用暖房装置の取り付け状態を示す概念図。
【図３】浴室用暖房装置と配電盤との接続関係を示す図。
【図４】浴室用暖房装置の斜視図。
【図５】カーボンランプヒータとクォーツヒータとの放射強度特性を比較したグラフ。
【図６】ハロゲンランプヒータとクォーツランプヒータ及びカーボンランプヒータのそれぞれにより、所定時間手を暖めた状態の温度分布状態を比較した図。
【図７】本体ユニット側にヒータユニットを吊り下げる状態の説明図。
【図８】ヒータユニットの軸を本体ユニット側のフックに掛止するときの拡大図。
【図９】ヒータユニットのチェーンを本体ユニット側に掛止するときの拡大図。
【図１０】（１）はステーのフックにヒータユニットの軸を掛止した状態を示す図。（２）はヒータユニットを本体ユニット側に回動させたときのステーのフックにかかる変形力を示す説明図。（３）はヒータユニットを本体ユニット側に密着固定したときにフックの応力の作用状態を示す説明図。
【図１１】ヒータユニットの給電用ソケットの接続を示す斜視図。
【手続補正１５】
【補正対象書類名】明細書
【補正対象項目名】００１７
【補正方法】変更
【補正の内容】
【００１７】
以下、本発明の実施の形態にかかる浴室用暖房装置を図面に基づいて説明する。
【手続補正１６】
【補正対象書類名】明細書
【補正対象項目名】００１８
【補正方法】変更
【補正の内容】
【００１８】
図１は、本発明の実施の形態にかかる浴室用暖房装置の分解組み立て図を示している。
［浴室用暖房装置］
この浴室用暖房装置１は、天井板２の開口部３の内部に装着する本体側ユニット４と、天井板２の下方に位置するように本体側ユニット４に取り付けられるヒータユニット５とによって、大略構成される。
【手続補正１７】
【補正対象書類名】明細書
【補正対象項目名】００３６
【補正方法】変更
【補正の内容】
【００３６】
請求項１の発明によれば、入浴者の体を暖めることを目的としたヒータユニットを備えており、そのヒータが輻射熱により体を暖めるので、洗い場にいるときや浴槽に入っているときでも、上部から頭部や首或いは肩部などを暖めることができ、寒冷期でも体を冷やしてしまうことが防止されて快適に入浴できる。
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】変更
【補正の内容】
【００４３】
１  浴室用暖房装置
２  天井板
４  本体ユニット
５  ヒータユニット
１１  浴室
１２  浴槽
１３  洗い場
３２  フック
３３  掛止軸
Ｌ１  掛止軸と天井板との距離
Ｌ２  掛止軸とヒータユニット上端縁部の距離
３５  カーボンランプヒータ
３６  保護ネット